(57)【要約】【課題】吸収性能、着用感に優れ、展開時の長手方向の寸法が大きく、かつ、個別包装した際にはコンパクトで携行性に優れる、吸収性物品を提供する。【解決手段】吸収性本体２と、吸収性本体２を包装する包装シート６０と、を備える吸収性物品１において、吸収性本体２を４つ折りできるように３本の折曲線（第一の折曲線５１、第二の折曲線５２、第三の折曲線５３）を設け、吸収性本体２の吸収層を所定の構造を有する上層吸収体３０と下層吸収体４０の２層構造とし、さらに、下層吸収体４０の長手方向の略中央部にスリット４１を設け、第二の折曲線５２は、平面視において、スリット４１と長手方向で重複する位置に配置され、第一の折曲線５１と第三の折曲線５３は、上層吸収体３０と下層吸収体４０が厚み方向に重複していない領域に配置される、吸収性物品１を提供する。【選択図】図７
2020028468.tif 000002
【特許請求の範囲】
【請求項１】
液透過性のトップシートと、液不透過性のバックシートと、前記トップシート及び前記バックシートの間に配置される吸収層と、を有する吸収性本体と、前記吸収性本体を包装する包装シートと、を備える、吸収性物品であって、
前記吸収性本体は、幅方向に延在する折曲線を３本有し、前記折曲線を介して長手方向に４つ折りされて前記包装シートにより個別包装され、長手方向に展開して着用されるものであり、
前記吸収性物品の長手方向の寸法は、１００ｍｍ以下であり、かつ、長手方向に展開された状態における前記吸収性本体の長手方向の寸法に対して、３０％以下であり、
前記吸収層は、前記トップシート側に位置する上層吸収体と、前記バックシート側に位置する下層吸収体と、を含み、
前記吸収性本体が長手方向に展開された状態における、前記下層吸収体の長手方向の寸法は、前記上層吸収体の長手方向の寸法より大きく、少なくとも前記下層吸収体の長手方向の両端部は、前記上層吸収体と厚み方向に重複しておらず、
前記上層吸収体は、トウからなる繊維集合体と、前記トウからなる繊維集合体内に分散され、担持された第一の高吸収性ポリマーと、を有し、
前記下層吸収体は、前記トップシート側の表面が起毛した基体不織布と、前記基体不織布の起毛した部分の繊維間に分散され、担持された第二の高吸収性ポリマーと、を有し、
前記下層吸収体は、前記吸収性本体が長手方向に展開された状態で、前記下層吸収体の長手方向の略中央部に幅方向に延在する、スリットを有し、
３本の前記折曲線を前記吸収性本体の前方向端部側から順に第一の折曲線、第二の折曲線、第三の折曲線とした場合に、前記第二の折曲線は、平面視において、前記スリットと長手方向で重複する位置に配置され、前記第一の折曲線と前記第三の折曲線は、前記上層吸収体と前記下層吸収体が厚み方向に重複していない領域に配置される、吸収性物品。
【請求項２】
長手方向に展開した状態における前記吸収性本体の、長手方向の寸法は３００ｍｍ以上６００ｍｍ以下であり、幅方向の寸法は３０ｍｍ以上１５０ｍｍ以下である、請求項１に記載の吸収性物品。
【請求項３】
前記吸収性物品の、長手方向の寸法は３０ｍｍ以上１００ｍｍ以下であり、幅方向の寸法は３０ｍｍ以上１６０ｍｍ以下である、請求項１又は２に記載の吸収性物品。
【請求項４】
前記吸収性本体が長手方向に展開された状態において、
前記上層吸収体と前記下層吸収体が厚み方向に重複している領域における、前記吸収層の最大厚みは１ｍｍ以上１０ｍｍ以下であり、
前記第一の折曲線、前記第二の折曲線、前記第三の折曲線が形成された領域の、前記吸収層の厚みが、前記吸収層の最大厚みに対して、２０％以上７０％以下である、請求項１から３のいずれかに記載の吸収性物品。
【請求項５】
前記吸収性本体が長手方向に展開された状態において、
前記第一の折曲線、前記第二の折曲線、前記第三の折曲線が形成されていない領域の前記下層吸収体の厚みは、前記吸収層の最大厚みに対して、２０％以上７０％以下である、請求項１から４のいずれかに記載の吸収性物品。
【発明の詳細な説明】
【技術分野】
【０００１】
本発明は、軽失禁パッド等の吸収性物品に関する。
【背景技術】
【０００２】
一般に、吸収性物品は、液透過性のトップシートと、液不透過性のバックシートと、トップシート及びバックシートの間に配置された吸収体と、で構成されており、これにより、尿等の体液は、トップシートを通って吸収体に吸収される。この吸収性物品は、想定される使用状況における体液の排出量に応じて、様々な製品が存在する。これら吸収性物品のうち、比較的少量の尿を吸収するものとしては、軽失禁パッドや軽失禁ライナーが知られている。これら軽失禁パッドや軽失禁ライナーは、外出時に取り換えて予備を持ち歩くケースが多く、携行性を付与するために、長手方向に折り曲げられて個別包装された態様で上市されることが多い。
【０００３】
例えば、特許文献１には、トップシート、バックシート及びこれら両者間に配された実質的に縦長の吸収体を備え、該吸収体は、その長手方向の一部における幅方向中央部に、周囲より厚みが厚い肉厚部を有しており、肉厚部を、それぞれ幅方向に横切る相互に離間した２本の折曲線を有し、該折曲線に沿って長手方向に折り曲げられた状態で包装されている吸収性物品が開示されている。
【０００４】
また、特許文献２には、トップシートと、バックシート及び両シート間に介在された吸収体を有する吸収性物品において、吸収体には、高厚み領域と低厚み領域とが、それぞれ吸収性物品の長手方向又は幅方向に延びて形成され、該高厚み領域及び該低厚み領域は、それぞれが延びる長手方向又は幅方向に直交する直交方向に交互に配列されており、低厚み領域の直交方向の長さが、高厚み領域の直交方向の長さより長い吸収性物品が開示されている。さらに、特許文献２には、吸収体に高厚み領域と低厚み領域を配置することで、低厚み領域が、液を吸収性物品の長手方向又は幅方向に導く導水路として作用する。そのため、高厚み領域への吸収速度が速くなり溢れモレを防ぐことができ、低厚み領域の幅は高厚み領域の幅よりも広いため、高厚み領域が低厚み領域に折り返されて重なることができるため、製品をコンパクトに折り畳むことができると、記載されている。
【先行技術文献】
【特許文献】
【０００５】
【特許文献１】特開２００８−６１７６１号公報
【特許文献２】特開２００９−１２５２４９号公報
【発明の概要】
【発明が解決しようとする課題】
【０００６】
ここで、軽失禁パッドや軽失禁ライナーのカテゴリーの中でも、吸収可能量に応じて様々なタイプがあるが、吸収可能量が大きいものについては、展開時の長手方向の寸法が大きくなる傾向にある。特許文献１の吸収性物品は、折曲線が２本で構成されており、３つ折りを想定したものであり、展開時の吸収性物品の長手方向の寸法が大きい場合には、折り曲げて個別包装したとしても、コンパクト性に劣り携行性が十分ではないことがあった。
また、特許文献２の吸収性物品では、吸収性に優れ、コンパクトに折り畳むことができたとしても、高厚み領域と低厚み領域の厚みの差により生じる凹凸が多数存在するため、着用感を損ねる場合があった。
【０００７】
したがって、本発明は以上の課題に鑑みてなされたものであり、吸収性能、着用感に優れ、展開時の長手方向の寸法が大きく、かつ、個別包装した際にはコンパクトで携行性に優れる、吸収性物品を提供することを目的とする。
【課題を解決するための手段】
【０００８】
本発明の発明者らは、上記課題に鑑み、鋭意研究を行った。その結果、吸収体の構造及び折曲線の構造を工夫することにより、上記課題を解決できることを見出し、本発明を完成するに至った。具体的には、本発明は、以下のものを提供する。
【０００９】
（１）本発明の第１の態様は、液透過性のトップシートと、液不透過性のバックシートと、前記トップシート及び前記バックシートの間に配置される吸収層と、を有する吸収性本体と、前記吸収性本体を包装する包装シートと、を備える、吸収性物品であって、前記吸収性本体は、幅方向に延在する折曲線を３本有し、前記折曲線を介して長手方向に４つ折りされて前記包装シートにより個別包装され、長手方向に展開して着用されるものであり、前記吸収性物品の長手方向の寸法は、１００ｍｍ以下であり、かつ、長手方向に展開された状態における前記吸収性本体の長手方向の寸法に対して、３０％以下であり、前記吸収層は、前記トップシート側に位置する上層吸収体と、前記バックシート側に位置する下層吸収体と、を含み、前記吸収性本体が長手方向に展開された状態における、前記下層吸収体の長手方向の寸法は、前記上層吸収体の長手方向の寸法より大きく、少なくとも前記下層吸収体の長手方向の両端部は、前記上層吸収体と厚み方向に重複しておらず、前記上層吸収体は、トウからなる繊維集合体と、前記トウからなる繊維集合体内に分散され、担持た第一の高吸収性ポリマーと、を有し、前記下層吸収体は、前記トップシート側の表面が起毛した基体不織布と、前記基体不織布の起毛した部分の繊維間に分散され、担持された第二の高吸収性ポリマーと、を有し、前記下層吸収体は、前記吸収性本体が長手方向に展開された状態で、前記下層吸収体の長手方向の略中央部に幅方向に延在する、スリットを有し、３本の前記折曲線を前記吸収性本体の前方向端部側から順に第一の折曲線、第二の折曲線、第三の折曲線とした場合に、前記第二の折曲線は、平面視において、前記スリットと長手方向で重複する位置に配置され、前記第一の折曲線と前記第三の折曲線は、前記上層吸収体と前記下層吸収体が厚み方向に重複していない領域に配置される、吸収性物品である。
【００１０】
（２）本発明の第２の態様は、（１）に記載の吸収性物品であって、長手方向に展開した状態における前記吸収性本体の、長手方向の寸法は３００ｍｍ以上６００ｍｍ以下であり、幅方向の寸法は３０ｍｍ以上１５０ｍｍ以下であることを特徴とするものである。
【００１１】
（３）本発明の第３の態様は、（１）又は（２）に記載の吸収性物品であって、前記吸収性物品の、長手方向の寸法は３０ｍｍ以上１００ｍｍ以下であり、幅方向の寸法は３０ｍｍ以上１６０ｍｍ以下である、請求項１又は２に記載の吸収性物品。
【００１２】
（４）本発明の第４の態様は、（１）から（３）のいずれかに記載の吸収性物品であって、前記吸収性本体が長手方向に展開された状態において、前記上層吸収体と前記下層吸収体が厚み方向に重複している領域における、前記吸収層の最大厚みは１ｍｍ以上１０ｍｍ以下であり、前記第一の折曲線、前記第二の折曲線、前記第三の折曲線が形成された領域の、前記吸収層の厚みが、前記吸収層の最大厚みに対して、２０％以上７０％以下であることを特徴とするものである。
【００１３】
（５）本発明の第５の態様は、（１）から（４）のいずれかに記載の吸収性物品であって、前記吸収性本体が長手方向に展開された状態において、前記第一の折曲線、前記第二の折曲線、前記第三の折曲線が形成されていない領域の前記下層吸収体の厚みは、前記吸収層の最大厚みに対して、２０％以上７０％以下であることを特徴とするものである。
【発明の効果】
【００１４】
本発明によれば、吸収性能、着用感に優れ、展開時の長手方向の寸法が大きく、かつ、個別包装した際にはコンパクトで携行性に優れる、吸収性物品を提供することができる。
【図面の簡単な説明】
【００１５】
【図１】本発明の吸収性物品の平面図である。
【図２】図１のＹ３−Ｙ３断面図であり、吸収性本体が４つ折りされた態様例を示す図面である。
【図３】図１のＹ３−Ｙ３断面図であり、吸収性本体が４つ折りされた態様例を示す図面である。
【図４】図１のＹ３−Ｙ３断面図であり、吸収性本体が４つ折りされた態様例を示す図面である。
【図５】図１のＹ３−Ｙ３断面図であり、吸収性本体が４つ折りされた態様例を示す図面である。
【図６】吸収性本体の展開平面図である。
【図７】図６のＹ１−Ｙ２断面図である。
【図８】第一の高吸収性ポリマーの、トウからなる繊維集合体への担持率を測定する方法を説明するために用いる図面である。
【発明を実施するための形態】
【００１６】
＜吸収性物品＞
本発明の実施形態に係る吸収性物品１としては、軽失禁パッド、軽失禁ライナーが例示されるが、本発明の吸収性物品１はこれに限定されるものではなく、生理用ナプキン、その他の吸収性物品であってもよい。
図１は、本発明の吸収性物品１の平面図であり、図２から図５は、図１のＹ３−Ｙ３断面図であり、吸収性本体２が４つ折りされた態様例を示す図面である。また、図６は、吸収性本体２の展開平面図であり、図７は、図６のＹ１−Ｙ２断面図である。
【００１７】
吸収性物品１は、身体側表面に配置された液透過性のトップシート１０と、トップシート１０に対向し、衣類側表面に配置された液不透過性のバックシート２０と、トップシート１０及びバックシート２０の間に配置された吸収層と、を有する吸収性本体２（図６及び図７参照）と、吸収性本体２を包装する包装シート６０と、を備える。
吸収性本体２は、幅方向に延在する折曲線を３本有し、折曲線を介して長手方向に４つ折りされて包装シート６０により個別包装されている。着用者は、吸収性本体２から包装シート６０を取り外し、吸収性本体２を長手方向に展開して着用することができる。なお、本明細書において、吸収性本体２が長手方向に展開された状態とは、包装シート６０を吸収性本体２から取り外し、吸収性本体２を長手方向に平坦になるように展開した状態をいう。
【００１８】
図２から図５に開示されるように、吸収性本体２を４つ折りにする態様は特に限定されず、３つの折曲線を介して４つ折りにすることができる。４つ折りにする特に好ましい態様は図２及び図４に示す態様である。各折曲線は、トップシート１０側又はバックシート２０側から圧力で圧縮した圧搾溝により、形成することができる。
【００１９】
また、本明細書の説明において、吸収性本体２の長手方向とは、吸収性本体２が展開され着用されたときに着用者の前後に亘る方向であり、図中、符号Ｙで示す方向であり、着用者の前に亘る方向をＹ１、後に亘る方向をＹ２で表している。また、吸収性物品１又は吸収性本体２の幅方向とは、長手方向に対して横又は直交する方向であり、図中、符号Ｘで示す方向である。
さらに、本明細書の説明において、身体側表面とは、各部材の表裏両面のうち、着用時に着用者の肌側に配される面を指し、衣類側表面とは、各部材の表裏両面のうち、着用時に着用者の肌側とは反対側に向けられる面を指す。
【００２０】
また、吸収性物品１の長手方向の寸法（図１におけるＡの矢印）は、１００ｍｍ以下であり、かつ、長手方向に展開された状態における吸収性本体２の長手方向の寸法（図６におけるＢの矢印）に対して、３０％以下である。なお、吸収性物品１の長手方向の寸法は、吸収性本体２が折曲線を介して長手方向に４つ折りされて包装シート６０により個別包装された状態における、吸収性本体２の展開時の長手方向と同一方向の寸法をいう。これにより、コンパクトで携行性に優れる吸収性物品１を得ることができる。同様の理由から、吸収性物品１の、長手方向の寸法は３０ｍｍ以上１００ｍｍ以下であり、幅方向の寸法は３０ｍｍ以上１６０ｍｍ以下であることが好ましい。また、包装シート６０を除く吸収性物品１の厚み（４つ折りにした吸収性本体２の厚み、図２から図５におけるＰの矢印）は、２ｍｍ以上２０ｍｍ以下であることが好ましい。
【００２１】
＜吸収性本体＞
長手方向に展開した状態における吸収性本体２の長手方向の寸法は３００ｍｍ以上６００ｍｍ以下であり、幅方向の寸法は３０ｍｍ以上１５０ｍｍ以下であることが好ましい。これにより、展開時の長手方向の寸法が大きく、吸収可能量が大きいタイプの吸収性物品を得ることができる。
【００２２】
［トップシート］
トップシート１０は、吸収層に向けて体液を速やかに通過させるものであり、吸収層を挟んで、バックシート２０に対向して配置される。トップシート１０は、肌と当接するシートとなることから、柔らかな感触で、肌に刺激を与えないような性質を有する、親水性不織布、開口ポリエチレンフィルム等の開口性フィルム、ウレタンフォーム等の発泡フィルム又はこれらを積層した複合シートから形成される。なお、トップシート１０は、単層であっても、複数層積層していてもよく、ドライタッチ性を付与するために多数の透孔が形成されていてもよい。
【００２３】
また、上記のような性質を有する親水性不織布としては、ポリプロピレンやポリエチレン等の合成繊維や、レーヨン等の再生繊維、綿等の天然繊維を用いて、サーマルボンド法、エアスルー法、スパンレース法、スパンボンド法等の公知の加工法によって得られたものを用いることができる。
【００２４】
トップシート１０の坪量は、加工性及び強度の点から、１３ｇ／ｍ２以上４０ｇ／ｍ２以下であることが好ましい。トップシート１０には、肌への刺激を低減させるために、ローション、酸化防止剤、抗炎症成分、ｐＨ調整剤、抗菌剤、保湿剤等を塗布してもよい。
【００２５】
［バックシート］
本発明に用いるバックシート２０としては、液不透過性を有し、かつ、遮水性を有するシート材が用いられるが、ムレ防止のために透湿性を有していてもよい。このような特性を有するバックシート２０の材料としては、例えば、ポリエチレンシートやポリエチレンラミネート不織布等の厚みの薄いプラスチックシートを挙げることができる。なお、バックシート２０の坪量は、加工性及び強度の点から、１５ｇ／ｍ２以上６０ｇ／ｍ２以下であることが好ましい。なお、図示しないが、バックシート２０の衣類側表面には、着用時に下着等に吸収性物品１を固着するための粘着剤層と粘着剤層を保護する剥離シートが設けられていてもよい。
【００２６】
［吸収層］
本発明の吸収性本体２に用いる吸収層は、図７に示すようにトップシート１０側に位置する上層吸収体３０と、バックシート２０側に位置する下層吸収体４０と、を含む構造となっている。
吸収性本体２が長手方向に展開された状態における、下層吸収体４０の長手方向の寸法は、上層吸収体３０の長手方向の寸法より大きく、少なくとも下層吸収体４０の長手方向の両端部は、上層吸収体３０と厚み方向に重複していない。このように、上層吸収体３０と下層吸収体４０の寸法及び位置を調整するとともに、後述するように、折曲線の位置を調整することにより、吸収性本体２の長手方向の寸法が大きくても、携行性に優れる吸収性物品１を得ることができる。
上層吸収体３０の長手方向の寸法は１００ｍｍ以上３００ｍｍ以下、下層吸収体４０の長手方向の寸法は２５０ｍｍ以上６００ｍｍ以下、であることが好ましい。また、４つ折りされた際にコンパクトにするために、下層吸収体４０の長手方向の寸法は、上層吸収体３０の長手方向の寸法に対して１．５倍以上４倍以下であることが好ましく、上層吸収体３０と厚み方向に重複しない下層吸収体４０の長手方向の両端部の寸法は、それぞれ同一であることが好ましい。
【００２７】
（スリット、折曲線、吸収層の厚みについて）
下層吸収体４０は、吸収性物品１が長手方向に展開された状態で、下層吸収体４０の長手方向の略中央部に幅方向に延在する、スリット４１を有し、３本の折曲線を吸収性物品１の前方向端部側Ｙ１から順に第一の折曲線５１、第二の折曲線５２、第三の折曲線５３とした場合に、第二の折曲線５２は、平面視において、スリット４１と長手方向で重複する位置に配置され、第一の折曲線５１と第三の折曲線５３は、上層吸収体３０と下層吸収体４０が厚み方向に重複していない領域に配置される。スリット４１の長手方向は、１ｍｍ以上１０ｍｍ以下であることが好ましく、スリット４１の幅方向の寸法は、３０ｍｍ以上１５０ｍｍ以下であることが好ましい。スリット４１は、下層吸収体４０を厚み方向に貫通していてもよく、貫通していなくてもよいが、吸収性本体２を４つ折りにする際の折り曲げやすさ（操業性）の観点から貫通していることが好ましい。また、設けられたスリット４１は、下層吸収体４０の幅方向両端部同士を結ぶように横断して設けられることが好ましい。
【００２８】
ここで、吸収性本体２は幅方向に延在する第一の折曲線５１、第二の折曲線５２、第三の折曲線５３を介して長手方向に４つ折りされて包装シート６０により個別包装されているのであるが、各折曲線が設けられる領域の吸収層の厚みが大きいと、吸収性本体２を折り曲げにくく、また、折り曲げられて個別包装された後も嵩張りやすくなる。特に、本発明では、長手方向の寸法が大きい吸収性本体２を４つ折りにすることが重要となるため、吸収層が単純な２層構造であると、３つ折りに比べて嵩張りやすい傾向にあり、また、折り曲げにくくなるおそれがある。
そのため、本発明では、上層吸収体３０と下層吸収体４０が重複しない領域に第一の折曲線５１と第三の折曲線５３を配置させ、かつ、上層吸収体３０と下層吸収体４０が重複する領域であっても、下層吸収体４０に設けたスリット４１と長手方向で重複する位置に、第二の折曲線５２を配置させることにより、製造時に吸収性本体２を折り曲げやすく、４つ折りした後も嵩張りにくく、４つ折りするのに適した構造とすることができる。加えて、吸収性本体２の凹凸は、少なく、小さいため、着用感も良好である。
各折曲線は、吸収性本体２が長手方向に展開された状態において、吸収性本体２を長手方向に略４等分する位置に配置されることが好ましい。これにより、無駄なくコンパクトにすることができる。
【００２９】
また、吸収性本体２が長手方向に展開された状態において、第一の折曲線５１に近接する上層吸収体３０の長手方向端部と、第一の折曲線５１と、の長手方向の離間距離は１ｍｍ以上１００ｍｍ以下であることが好ましく、第三の折曲線５３に近接する上層吸収体３０の長手方向端部と、第三の折曲線５３と、の長手方向の離間距離は１ｍｍ以上１００ｍｍ以下であることが好ましい。上記の離間距離が、それぞれ大きすぎると、吸収性本体２が折曲線を介して長手方向に４つ折りされて包装シート６０により個別包装された状態における、吸収性物品１の長手方向の寸法が大きくなりすぎてしまい携行性が低下しやすく、一方で、上記の離間距離が、それぞれ小さすぎると、折り曲げにくく４つ折りしづらくなる。上記の離間距離を上記範囲とすることにより、製造時に吸収性本体２を折り曲げやすくすることができ、かつ、コンパクトで携行性に優れる吸収性物品１を得ることができる。
【００３０】
吸収性本体２が長手方向に展開された状態において、上層吸収体３０と下層吸収体４０が厚み方向に重複している領域における、吸収層の最大厚みは１ｍｍ以上１０ｍｍ以下であり、第一の折曲線５１、第二の折曲線５２、第三の折曲線５３が形成された領域の、吸収層の厚みが、吸収層の最大厚みに対して、２０％以上７０％以下であることが好ましい。
【００３１】
吸収性本体２が長手方向に展開された状態において、第一の折曲線５１、第二の折曲線５２、第三の折曲線５３が形成されていない領域の下層吸収体４０の厚みは、吸収層の最大厚みに対して、２０％以上７０％以下であることが好ましい。これにより、吸収性本体２を４つ折りにしても嵩張りづらく、コンパクトで携行性に優れる吸収性物品１を得ることができる。
【００３２】
［上層吸収体及び下層吸収体］
そして、上層吸収体３０は、トウからなる繊維集合体と、トウからなる繊維集合体に分散された第一の高吸収性ポリマーと、を有し、下層吸収体４０は、トップシート１０側の表面が起毛した基体不織布と、基体不織布の起毛した部分の繊維間に分散され、担持された第二の高吸収性ポリマーと、を有する。
まず、上層吸収体３０及び下層吸収体４０はいずれもフラッフパルプを含有しないため、吸収層が厚くならず、薄型の吸収性物品１を得ることができる。
ここで、上層吸収体３０は、トウからなる繊維集合体を含有するため、柔軟性及び可撓性に優れるが、体液（尿、血液、軟便）の拡散性や吸収速度という点では、従来のフラッフパルプを含有する吸収体よりも劣る。
一方、下層吸収体４０は、基体不織布の起毛した部分の繊維間に、第二の高吸収性ポリマーが分散して担持されることにより、基体不織布の起毛した部分に体液が適度に拡散又は保持されることにより吸収性能が向上し、フラッフパルプを有さなくても十分な吸収性能を有する。そのため、柔軟性及び可撓性に優れる上層吸収体３０よりもバックシート２０側に吸収性能に優れる下層吸収体４０を配置させることにより、フラッフパルプを用いなくても、吸収性能及び着用感に優れる吸収性物品１を得ることができる。
【００３３】
（上層吸収体）
上層吸収体３０は、トウからなる繊維集合体と、トウからなる繊維集合体内に分散され、担持された第一の高吸収性ポリマーと、を有する。
【００３４】
（第一の高吸収性ポリマー）
なお、第一の高吸収性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。
【００３５】
（トウからなる繊維集合体）
トウからなる繊維集合体は、トウを開繊した長繊維フィラメントの集合体であり、長繊維の配向方向が揃うように収束されている。本発明においては、長繊維の配向方向が、吸収性物品１の長手方向となるように、配置することが好ましい。例えば、連続フィラメントのトウを開繊し、適当な長さに切断することで、長繊維の束から構成された繊維集合体を製造することができる。
【００３６】
トウからなる繊維集合体の基材としては、綿等に由来する天然セルロース、レーヨン等の再生セルロース、セルロースアセテート、ポリエチレン、ポリプロピレン、ＰＥＴ等を用いることができ、これらの中でも、綿等に由来する天然セルロース、レーヨン等の再生セルロース、セルロースアセテートを用いることが好ましく、嵩高さを得やすく、上層吸収体３０に柔軟性及び可撓性を付与できる、セルロースアセテートを用いることがより好ましい。
また、トウからなる繊維集合体の繊度は、特に限定されないが、上層吸収体３０が所望の性能を発揮し、使用上十分な強度を有するようにする点から、例えば、０．１ｄｔｅｘ以上１０．０ｄｔｅｘ以下であればよい。
【００３７】
また、トウからなる繊維集合体において、繊維間の絡みが弱いため、絡みを融着して固定させる目的で、バインダーを用いることが好ましい。バインダーとしては、トリアセチン等を用いることができる。
【００３８】
トウからなる繊維集合体の坪量は、２０ｇ／ｍ２以上１００ｇ／ｍ２以下である。トウからなる繊維集合体の坪量が上記の範囲であることにより、吸収性を担保できる程度に第一の高吸収性ポリマーを担持でき、柔軟性及び可撓性に優れる上層吸収体３０を得ることができる。トウからなる繊維集合体の坪量が１００ｇ／ｍ２を超えると、上層吸収体３０の厚みを薄くする際の圧縮の度合いが大きくなり、トウからなる繊維集合体の本来の柔軟性及び可撓性が損なわれるため好ましくない。
【００３９】
第一の高吸収性ポリマーの坪量は、６０ｇ／ｍ２以上５００ｇ／ｍ２以下であり、第一の高吸収性ポリマーの坪量は、トウからなる繊維集合体の坪量に対して、０．６倍以上５．０倍以下であることが好ましい。これにより、必要な吸収量を確保できるとともに、トウからなる繊維集合体が第一の高吸収性ポリマーを良好に担持することができ、着用時にざらざらとした違和感が生じることによる着用感の低下を避けることができる。トウからなる繊維集合体の坪量に対する、第一の高吸収性ポリマーの坪量が、５．０倍を超えると、トウからなる繊維集合体が第一の高吸収性ポリマーを良好に担持することができなくなる。
また、第一の高吸収性ポリマーの坪量は、６０ｇ／ｍ２以上３００ｇ／ｍ２以下であり、第一の高吸収性ポリマーの坪量は、トウからなる繊維集合体の坪量に対して、０．６倍以上３．０倍以下であることがより好ましい。
【００４０】
本発明において、第一の高吸収性ポリマーの、トウからなる繊維集合体への担持率は、７０％以上であるため、着用時にざらざらとした違和感が生じることによる着用感の低下を避けることができる。以下、第一の高吸収性ポリマーの、トウからなる繊維集合体への担持率の測定方法について、図８を用いて説明する。
【００４１】
（１）まず、上層吸収体３０を作製する前の、トウからなる繊維集合体に第一の高吸収性ポリマーを担持したシート（縦３７０ｍｍ、横１１０ｍｍ）と試験後に脱落する第一の高吸収性ポリマーを回収する容器を用意する。
（２）当該シートの縦方向の他方端部が下になるように、縦方向の一方端部の横方向両端部（図８における符号ａ）を把持する。このとき、当該シートの縦方向の他方端部が、上記容器の底面から約３０ｃｍの位置となるように調整する。
（３）その後、下方向（図８におけるｂの矢印の方向）に約５ｃｍ変位させ、元の位置に戻す、という振るい操作を連続的に往復２０回行う。
（４）容器に脱落した第一の高吸収性ポリマーの重量を測定し、{（振るい前の上記シートに担持させた第一の高吸収性ポリマーの重量−脱落した第一の高吸収性ポリマーの重量）／振るい前の上記シートに担持させた第一の高吸収性ポリマーの重量}×１００の式で算出される数値を、第一の高吸収性ポリマーの、トウからなる繊維集合体への担持率（％）とする。
【００４２】
［下層吸収体］
下層吸収体４０は、トップシート１０側の表面が起毛した基体不織布と、基体不織布の起毛した部分の繊維間に分散され、担持された第二の高吸収性ポリマーと、を有する。
このように、基体不織布の起毛した部分の繊維間に第二の高吸収性ポリマーが分散して担持されることにより、基体不織布の起毛した部分に体液が適度に拡散又は保持されることにより吸収性能が向上し、フラッフパルプを有さなくても十分な吸収性能を有する。
【００４３】
（基体不織布）
基体不織布のトップシート１０側は起毛している。そのため、不織布本来の嵩高さに加えて、下層吸収体４０に適度な厚みと柔らかさが付与されることにより、適度なクッション性が発生し、着用時のフィット感を向上することができる。
また、基体不織布を上記のように起毛させることにより、基体不織布の起毛した部分の繊維間に第二の高吸収性ポリマーを分散させて担持させることができる。基体不織布の身体側表面を起毛させる方法としては、回転ノコ刃、ニードルパンチが挙げられ、インラインでの生産性やコストの観点から回転ノコ刃により毛羽立たせる方法を用いることが好ましい。
【００４４】
基体不織布としては、例えば、エアスルー不織布、ポイントボンド不織布、スパンボンド不織布、メルトブロー不織布等の不織布や、スパンボンド不織布／メルトブロー不織布、スパンボンド不織布／メルトブロー不織布／スパンボンド不織布を積層した複合不織布を挙げることができる。これらの不織布のうち、嵩高さの得やすいエアスルー不織布を用いることが好ましい。
【００４５】
また、基体不織布の坪量は、２０ｇ／ｍ２以上２００ｇ／ｍ２以下であることが好ましく、３０ｇ／ｍ２以上１６０ｇ／ｍ２以下であることがより好ましい。
【００４６】
さらに、基体不織布を構成する繊維の太さは、１．６ｄｔｅｘ以上１４．０ｄｔｅｘ以下であることが好ましく、１．８ｄｔｅｘ以上９．０ｄｔｅｘ以下であることがより好ましく、２．０ｄｔｅｘ以上６．０ｄｔｅｘ以下であることが更に好ましい。このように上記の範囲で基体不織布を構成する繊維の太さを調整することにより、基体不織布の起毛した部分の繊維間に各高吸収性ポリマーを分散させて担持しやすくすることができる。
【００４７】
（第二の高吸収性ポリマー）
第二の高吸収性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。また、第二の高吸収性ポリマーの坪量は、吸収性能を確保するために、２００ｇ／ｍ２以上１２００ｇ／ｍ２以下とすることが好ましい。また、吸収性能、吸収後の肌触り及び着用者の動きやすさをより向上させる観点から、第二の高吸収性ポリマーの坪量は、３００ｇ／ｍ２以上９００ｇ／ｍ２以下とすることがより好ましい。
【００４８】
また、粉体としての流動性が悪い微粉末を避けることにより、吸収に関する基本性能を高め、かつ、下層吸収体４０が硬くなることにより発生するごつごつとした触感を低減する観点から、第二の高吸収性ポリマーの中位粒子径は、５０μｍ以上６００μｍ以下であることが好ましく、１００μｍ以上５００μｍ以下であることがより好ましい。
【００４９】
第二の高吸収性ポリマーが、ホットメルト接着剤により、基体不織布の起毛した部分の繊維間にそれぞれ固着担持されていることが好ましく、基体不織布の坪量が比較的低い場合（２０ｇ／ｍ２以上１００ｇ／ｍ２以下）に、第二の高吸収性ポリマーの固着担持を補強するために、ホットメルト接着剤は特に有効に機能する。
なお、第二の高吸収性ポリマーの吸収性を阻害せず、かつ、着用時の肌触りを損なわないように、ホットメルト接着剤の含有量は、１０ｇ／ｍ２以下であることが好ましく、１ｇ／ｍ２以上８ｇ／ｍ２以下であることがより好ましい。ホットメルト接着剤としては、融点が１００℃以上１８０℃以下の、スチレン−ブタジエン−スチレン系共重合体やスチレン−イソプレン−スチレン系共重合体など合成ゴム系、又は、エチレン−酢酸ビニル共重合体などのオレフィン系のホットメルト接着剤を用いることができる。ホットメルト接着剤の塗布方法としては、ノズルから溶融状態のホットメルト接着剤を非接触式で塗布するカーテンコート法やスパイラル法、接触式で塗布するスロット法など公知の方法が利用できる。
【００５０】
（キャリアシート）
本発明の吸収性物品１は、キャリアシートを有していてもよい（図示しない）。キャリアシートは、上層吸収体３０及び下層吸収体４０を、一体的に全体を包むように覆っていてもよいし、上層吸収体３０の身体側及び下層吸収体４０の衣類側から一体的に挟持するように覆っていてもよい。
また、上層吸収体３０と下層吸収体４０を個別に、それぞれの全体を包むように覆っていてもよいし、上層吸収体３０、下層吸収体４０を、それぞれの上下から挟持するように覆っていてもよい。
このような態様でキャリアシートを設けることにより、上層吸収体３０及び下層吸収体４０の形状を維持することができ、加えて、第一の高吸収性ポリマー、第二の高吸収性ポリマーが各吸収体の外へ漏れることを防止することができる。キャリアシートとしては、ティシュ、吸収紙、スパンボンド不織布やエアレイド不織布等の親水性不織布を挙げることができ、液拡散性、保水性、コストの観点からティシュを用いることが好ましく、キャリアシートの坪量は、強度と装着感の観点から、１０ｇ／ｍ２以上４０ｇ／ｍ２以下とすることが好ましく、１５ｇ／ｍ２以上２０ｇ／ｍ２以下とすることがより好ましい。
【００５１】
［液拡散性シート］
吸収性本体２は、上層吸収体３０の上面への体液の拡散を促進するため、トップシート１０と上層吸収体３０との間に、液拡散性シートを設けてもよい（図示しない）。かかる液拡散性シートとしては、例えば、エアスルー不織布、ポイントボンド不織布、スパンボンド不織布、メルトブロー不織布等の親水性不織布や、スパンボンド／メルトブロー、スパンボンド／メルトブロー／スパンボンドを積層した複合不織布を挙げることができる。液拡散性シートの坪量は１５ｇ／ｍ２以上１００ｇ／ｍ２以下であることが好ましい。液拡散性シートの形状は、特に制限はないが、体液がくまなく上層吸収体３０に拡散するよう、上層吸収体３０の身体側表面を完全に覆うことができる形状であることが好ましい。
【００５２】
＜包装シート＞
包装シート６０としては、吸収性物品に用いる従来公知の包装シートを用いることができる。包装シート６０としては、紙、樹脂フィルム、不織布といった薄くかつ柔軟な基材から形成されている。かかる樹脂フィルムとしては、例えば、ポリエステル、ポリビニルアルコール、ポリエチレン、ポリプロピレン、ポリエチレンとポリプロピレンの複合フィルム等があげられる。また、かかる不織布は、製法を特に限定せず、例えば、スパンボンドやメルトブロー不織布、あるいは、スパンボンド／メルトブロー、スパンボンド／メルトブロー／スパンボンドを積層した複合不織布及びこれらの複合材料が挙げられる。また、強度及び加工性の点から、包装シート６０の坪量は、１５ｇ／ｍ２以上３０ｇ／ｍ２以下であることが好ましい。
包装シート６０により個別包装される態様は特に限定されず、例えば、吸収性物本体が長手方向に４つ折りされ、包装シート６０の両側端縁部を熱シールや超音波シール等にて固着して、個別包装できる。
【００５３】
［立体ギャザー］
吸収性物品１の身体側表面には、立体ギャザーが設けられていてもよい（図示しない）。この立体ギャザーは、トップシート１０とともに体液の閉じ込め空間を形成し、体液の漏れを防止できるようになっている。立体ギャザーは、立体ギャザーシートと、立体ギャザーシートの自由端部に沿って配された伸縮性弾性部材と、を備えていることが好ましい。伸縮性弾性部材としては、天然ゴム、合成ゴム、及びポリウレタン等からなる、糸状、紐状、平型形状のものを適宜使用することができる。
【００５４】
＜吸収性物品の製造方法＞
吸収性物品１の製造方法としては、特に限定はなく、従来公知の方法を採用することができる。
例えば、まず、衣類側から、粘着層とそれを覆う剥離シートを設けたバックシート２０、下層吸収体４０、上層吸収体３０、トップシート１０の順に積層し、トップシート１０とバックシート２０とを一部又は全周に亘ってホットメルト接着剤やヒートエンボス、超音波エンボス、高周波エンボス等を用いて固定し、さらに、吸収性本体２が第一の折曲線５１、第二の折曲線５２、第三の折曲線５３にて長手方向に４つ折りされ、包装シート６０の両側端縁部を熱シールや超音波シール等にて固着して、個別包装することにより、吸収性物品１を製造することができる。
【００５５】
以上、本発明を、実施形態を用いて説明したが、本発明の技術的範囲は上記の実施形態の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００５６】
１      吸収性物品
２      吸収性本体
１０    トップシート
２０    バックシート
３０    上層吸収体
４０    下層吸収体
４１    スリット
５１    第一の折曲線
５２    第二の折曲線
５３    第三の折曲線
６０    包装シート
【図１】
2020028468.tif 000003
【図２】
2020028468.tif 000004
【図３】
2020028468.tif 000005
【図４】
2020028468.tif 000006
【図５】
2020028468.tif 000007
【図６】
2020028468.tif 000008
【図７】
2020028468.tif 000009
【図８】
2020028468.tif 000010